(57)【要約】【課題】中継部材の移動を制限可能な伸縮ユニットを備えた遊技機の開発が望まれている。【解決手段】本開示の遊技機１０は、縮小状態と、延長状態との間で伸縮する伸縮ユニット２４０Ｓを備えている。伸縮ユニット２４０Ｓは、第１、第２、第３の長尺部材２４０，２５０，２６０と、第１及び第２の長尺部材２４０，２５０の間にスライド可能に係合する第１の中継部材２７０と、第２及び第３の長尺部材２５０，２６０にスライド可能に係合する第２の中継部材２８０とを有する。第１の長尺部材２４０には、第１の中継部材２７０が第１の長尺部材２４０の基端側へ移動することを規制する第１の基端側ストッパ２４６が設けられ、第２の長尺部材２５０には、第１の中継部材２７０が第２の長尺部材２５０の先端側へ移動することを規制する第２の先端側ストッパ２５６Ａが設けられている。【選択図】図１０
2019166005.tif 000002
【特許請求の範囲】
【請求項１】
平行に延びる第１、第２の長尺部材がスライド可能に係合し、それら長尺部材の基端同士が最も接近する縮小状態と、前記第１の長尺部材の先端に第２の長尺部材の基端が最も接近する延長状態と、の間で伸縮する伸縮ユニットにより可動演出部材を支持ベースに対してスライド可能に支持している遊技機において、
前記第１及び第２の長尺部材は、それらの間に配置される第１の中継部材を介してスライド可能に係合し、
前記第１の長尺部材に設けられ、前記第１の中継部材が前記第１の長尺部材の基端側へ移動することを規制する第１の基端側ストッパと、
前記第２の長尺部材に設けられ、前記第１の中継部材が前記第２の長尺部材の先端側へ移動することを規制する第２の先端側ストッパと、を有し、
前記第１の基端側ストッパと前記第２の先端側ストッパにより、前記第１の中継部材が、前記縮小状態で前記第１及び第２の長尺部材の基端と先端との間の中間位置に保持される遊技機。
【発明の詳細な説明】
【技術分野】
【０００１】
本発明は、可動演出部材を支持ベースに対してスライド可能に支持する伸縮ユニットを備えた遊技機に関する。
【背景技術】
【０００２】
従来、この種の遊技機の伸縮ユニットとして、平行に延びる第１、第２、第３の長尺部材を備え、第１及び第２の長尺部材の間に第１の中継部材がスライド可能に係合し、第２及び第３の長尺部材の間に第２の中継部材がスライド可能に係合したものが知られている（例えば、特許文献１参照）。伸縮ユニットは、それら長尺部材の基端同士が最も接近する縮小状態と、第１の長尺部材の先端に第２の長尺部材の基端が最も接近しかつ第２の長尺部材の先端に第３の長尺部材の基端が最も接近する延長状態の間で伸縮する。
【先行技術文献】
【特許文献】
【０００３】
【特許文献１】特開２０１１−１３０７９１号公報（段落［００３０］、図３）
【発明の概要】
【発明が解決しようとする課題】
【０００４】
上述した従来の遊技機の伸縮ユニットは、縮小状態において、振動等により第１の中継部材が第１及び第２の長尺部材の基端側に移動してしまうことがあり、その場合に、伸縮ユニットを延長状態へと変化させようとすると、第１の中継部材がスライドし難くなることがあった。このため、従来より中継部材をスムーズに移動可能な伸縮ユニットの開発が求められていた。
【課題を解決するための手段】
【０００５】
上記課題を解決するためになされた請求項１の発明は、平行に延びる第１、第２の長尺部材がスライド可能に係合し、それら長尺部材の基端同士が最も接近する縮小状態と、前記第１の長尺部材の先端に第２の長尺部材の基端が最も接近する延長状態と、の間で伸縮する伸縮ユニットにより可動演出部材を支持ベースに対してスライド可能に支持している遊技機において、前記第１及び第２の長尺部材は、それらの間に配置される第１の中継部材を介してスライド可能に係合し、前記第１の長尺部材に設けられ、前記第１の中継部材が前記第１の長尺部材の基端側へ移動することを規制する第１の基端側ストッパと、前記第２の長尺部材に設けられ、前記第１の中継部材が前記第２の長尺部材の先端側へ移動することを規制する第２の先端側ストッパと、を有し、前記第１の基端側ストッパと前記第２の先端側ストッパにより、前記第１の中継部材が、前記縮小状態で前記第１及び第２の長尺部材の基端と先端との間の中間位置に保持される遊技機である。
【発明の効果】
【０００６】
本発明によれば、従来より中継部材をスムーズに移動させることが可能となる。
【図面の簡単な説明】
【０００７】
【図１】第１実施形態に係る遊技機の正面図
【図２】遊技盤の正面図
【図３】（Ａ）可動演出部材が待機位置に配置された状態の機構枠の正面図、（Ｂ）可動演出部材が演出位置に配置された状態の機構枠の正面図
【図４】（Ａ）可動演出部材が待機位置に配置された状態の可動役物部材の背面図、（Ｂ）可動演出部材が演出位置に配置された状態の可動役物装置の背面図
【図５】スライドレールの分解斜視図
【図６】（Ａ）縮小状態のスライドレールの側断面図、（Ｂ）延長状態のスライドレールの側断面図
【図７】図６（Ａ）のＡ−Ａ切断面におけるスライドレールの断面図
【図８】第１中継部材がストッパに当接している状態の断面図
【図９】第２実施形態に係る（Ａ）可動演出部材が待機位置に配置された状態の機構枠の正面図、（Ｂ）可動演出部材が演出位置に配置された状態の機構枠の正面図
【図１０】スライドレールの分解斜視図
【図１１】（Ａ）縮小状態のスライドレールの側断面図、（Ｂ）延長状態のスライドレールの側断面図
【図１２】図１１（Ａ）のＢ−Ｂ切断面におけるスライドレールの断面図
【図１３】（Ａ）第１中継部材がストッパに当接している状態の正面図、（Ｂ）第２中継部材がストッパに当接している状態の断面図
【図１４】第３実施形態に係るスライドレールの分解斜視図
【図１５】（Ａ）縮小状態のスライドレールの側断面図、（Ｂ）延長状態のスライドレールの側断面図
【図１６】図１５（Ａ）のＣ−Ｃ切断面におけるスライドレールの断面図
【図１７】（Ａ）第１中継部材がストッパに当接している状態の断面図、（Ｂ）第２中継部材がストッパに当接している状態の正面図
【発明を実施するための形態】
【０００８】
［第１実施形態］
図１に示されるように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。
【０００９】
前面枠１０Ｚのうちガラス窓１０Ｗより下方には、上皿２６と下皿２７が上下２段にして設けられ、下皿２７の右側には、発射ハンドル２８が備えられている。そして、発射ハンドル２８が回動操作されると、上皿２６に収容された遊技球が遊技領域Ｒ１（図２）に向けて弾き出される。
【００１０】
図２に示されるように、遊技領域Ｒ１は、遊技盤１１の前面から突出したガイドレール１２に囲まれている。遊技盤１１のうち遊技領域Ｒ１の中央には、表示開口１１Ｈが貫通形成され、この表示開口１１Ｈを通して、表示装置１３の表示画面１３Ｇが前方に臨んでいる。表示画面１３Ｇでは、遊技に関する種々の演出が行われる。
【００１１】
表示開口１１Ｈの開口縁には、表示画面１３Ｇを囲むように表示装飾枠２３が取り付けられている。表示装飾枠２３は、遊技盤１１の前面側から表示開口１１Ｈに嵌め込まれて遊技盤１１の前面から突出し、遊技領域Ｒ１を流下する遊技球が表示装飾枠２３の内側に進入することを規制している。
【００１２】
遊技領域Ｒ１のうち表示装飾枠２３より下側部分の横方向の中央部には、第１始動入賞口１４ＡＫが設けられている。第１始動入賞口１４ＡＫは、遊技球が１つずつ入球可能な大きさの開口を上部に有するポケット構造をなしている。
【００１３】
第１始動入賞口１４ＡＫの下方には、第１大入賞装置１５Ａが設けられている。第１大入賞装置１５Ａは、右側に開放した第１大入賞口１５ＡＫと、第２大入賞口１５ＡＫの右側に配置された第１可変部材１５ＡＴと、を備えている。第１可変部材１５ＡＴは、左下り傾斜し、遊技盤１１の前面から突出した第１突出位置と、該第１突出位置より突出が抑えられた第１退避位置と、の間をスライド可能に構成されている。そして、第１可変部材１５ＡＴが第１突出位置に配置されたときに、第１可変部材１５ＡＴを案内にして遊技球が第１大入賞口１５ＡＫに入球可能となり、第１可変部材１５ＡＴが第１退避位置に配置されたときに、遊技球が第１大入賞口１５ＡＫに入球困難となる。
【００１４】
遊技領域Ｒ１のうち表示装飾枠２３の右側には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００１５】
始動ゲート１８の下方には、第２始動入賞装置１４Ｂが設けられている。第２始動入賞装置１４Ｂは、左側に開放した第２始動入賞口１４ＢＫと、第２始動入賞口１４ＢＫの左側で右下がりに傾斜した始動可変部材１４ＢＴと、を備えている。始動可変部材１４ＢＴは、遊技盤１１の前面から突出した始動突出位置と該始動突出位置より突出が抑えられた始動退避位置との間をスライド可能に構成されていて、通常は、始動退避位置に配置され、上述した普通図柄当否判定の結果が当りになると、所定の期間だけ始動突出位置に配置される。そして、始動可変部材１４ＢＴが始動突出位置に配置されたときに、始動可変部材１４ＢＴを案内にして遊技球が第２始動入賞口１４ＢＫに入球可能となり、始動可変部材１４ＢＴが始動退避位置に配置されたときに、遊技球が始動入賞口１４ＢＫに入球困難となる。
【００１６】
第２始動入賞装置１４Ｂの下方には、第２大入賞装置１５Ｂが設けられている。第２大入賞装置１５Ｂは、上側に開放した第２大入賞口１５ＢＫと、第２大入賞口１５ＢＫを開閉する第２可変部材１５ＢＴと、を備えている。第２可変部材１５ＢＴは、遊技盤１１の前面から突出した第２突出位置と、該第２突出位置より突出が抑えられた第２退避位置と、の間をスライド可能に構成されている。そして、第２可変部材１５ＢＴが第２突出位置に配置されたときに、第２大入賞口１５ＢＫが閉塞されて遊技球が第２大入賞口１５ＢＫに入球困難となり、第２可変部材１５ＢＴが第２退避位置に配置されたときに、第２大入賞口１５ＢＫが開放されて遊技球が第２大入賞口１５ＢＫに入球可能となる。
【００１７】
第１始動入賞口１４ＡＫ又は第２始動入賞口１４ＢＫに遊技球が入球すると、所定数の遊技球が賞球として上皿２６（図１参照）に払い出されると共に、特別図柄当否判定が行われる。
【００１８】
特別図柄当否判定の結果が当りになると、大当り遊技が実行され、第１大入賞口１５ＡＫ又は第２大入賞口１５ＢＫに遊技球が入球可能となる。第１大入賞口１５ＡＫ又は第２大入賞口１５ＢＫに遊技球が入球すると、所定数の遊技球が賞球として払い出される。
【００１９】
遊技領域Ｒ１には、上述した入賞口１４ＡＫ，１４ＢＫ，１５ＡＫ，１５ＢＫのほかに、上方又は側方に開放して遊技球が常時入球可能な一般入賞口２０が複数設けられている。また、遊技領域Ｒ１の下端部、具体的には、第１可変部材１５ＡＴの下方には、何れの入賞口にも入球しなかった遊技球を遊技領域Ｒ１の外側に排出するためのアウト口１６が設けられている。さらに、遊技領域Ｒ１には、遊技球の流下方向をランダムに変更するための障害釘Ｋが多数植設されている。
【００２０】
本実施形態の遊技機１０では、遊技盤１１の後側に、図３（Ａ）に示される機構枠１７を備えている。機構枠１７には、可動役物装置１００を含む種々の装置が組み付けられている。なお、機構枠１７の内側の開口部１７Ａは、遊技盤１１の表示開口１１Ｈ（図２参照）に重ねられて、表示装置１３の表示画面１３Ｇを視認可能とする。
【００２１】
［可動役物装置１００］
図３（Ａ）及び図３（Ｂ）に示されるように、可動役物装置１００は、機構枠１７に固定された支持ベース１１０と、支持ベース１１０に対して移動可能な可動演出部材１２０と、を有する。支持ベース１１０は、横長の矩形状をなし、機構枠１７の下辺部１７Ｋに前側から重ねられている。
【００２２】
可動演出部材１２０は、支持ベース１１０の前側に配置され、支持ベース１１０より横方向が短い横長の矩形状をなしている。可動演出部材１２０は、可動ベース１２１と、可動ベース１２１に前側から重ねて固定される装飾プレート１２０Ｓと、を有する。なお、図３（Ａ）及び図３（Ｂ）では、可動演出部材１２０の装飾プレート１２０Ｓがグレー表示にて示されている。
【００２３】
図４（Ａ）及び図４（Ｂ）に示されるように、支持ベース１１０には、上下方向に延在するガイド孔１１１が形成され、このガイド孔１１１に、可動ベース１２１から後側に突出したガイド突部１２２が係合している。また、支持ベース１１０と可動演出部材１２０との間には、ガイド孔１１１と平行に延びる後述するスライドレール１４０Ｓが備えられている。これらガイド孔１１１及びガイド突部１２２と、スライドレール１４０Ｓにより、可動演出部材１２０が支持ベース１１０に対して上下方向に直動可能に支持されている。
【００２４】
可動演出部材１２０は、通常、図３（Ａ）及び図４（Ａ）に示される待機位置に配置されている。このとき、可動演出部材１２０は、表示画面１３Ｇの下方に位置し、遊技者から視認困難となっている（図２参照）。所定の移動条件が成立すると、可動演出部材１２０は、図３（Ｂ）及び図４（Ｂ）に示されるように、上方に移動して演出位置に配置される。可動演出部材１２０が演出位置に配置されると、可動演出部材１２０の略全体が表示画面１３Ｇの前側に配置され、遊技者から視認可能となる。
【００２５】
図４（Ａ）及び図４（Ｂ）に示されるように、可動演出部材１２０は、支持ベース１１０に備えられた直動駆動機構１３０によって駆動される。具体的には、直動駆動機構１３０は、駆動源１３０Ｋと、駆動源１３０Ｋに駆動される回動レバー１３１と、駆動源１３０Ｋから回動レバー１３１へと動力を伝達する複数のギヤ１３０Ｇと、を有する。回動レバー１３１は、支持ベース１１０の左側部に回動可能に支持され、その回動中心から右下がりに傾斜して延びている（可動役物装置１００を後側から見た図４（Ａ）及び図４（Ｂ）では、左右が反対に示されている）。回動レバー１３１の先端部は、ガイド突部１２２と重なる位置に配置され、その先端部に回動レバー１３１の延在方向に延びる第１長孔１３２が形成されている。そして、この第１長孔１３２に可動演出部材１２０のガイド突部１２２が係合している。また、回動レバー１３１の中間部には、回動レバー１３１の延在方向に延びる第２長孔１３３が形成され、この第２長孔１３３にギヤ１３０Ｇに突設された回動突部１３０Ｔが係合している。これにより、ギヤ１３０Ｇが回動すると、図４（Ａ）から図４（Ｂ）への変化に示されるように、回動レバー１３１が回動し、可動演出部材１２０のガイド突部１２２がガイド孔１１１に沿って移動すると共に、スライドレール１４０Ｓが伸長して、可動演出部材１２０が演出位置に配置される。
【００２６】
なお、可動演出部材１２０が演出位置から待機位置へと移動するときには、図４（Ｂ）から図４（Ａ）への変化に示されるように、上述とは逆の動きをする。
【００２７】
スライドレール１４０Ｓは、図５に示されるように、互いに平行に延びる第１長尺部材１４０と、第２長尺部材１５０と、第３長尺部材１６０と、を備え、第１長尺部材１４０と第２長尺部材１５０との間に第１中継部材１７０がスライド可能に係合され、第２長尺部材１５０と第３長尺部材１６０との間に第２中継部材１８０がスライド可能に係合されている。
【００２８】
詳細には、スライドレール１４０Ｓは、図７に示されるように、入れ子構造をなしている。第１長尺部材１４０は、溝形状をなし、その内側に第２長尺部材１５０が収容されている。第２長尺部材１５０は、断面略Ｈ形状をなし、１対の溝形部１５０Ａ，１５０Ｂを有し、幅の狭い溝形部１５０Ａ側が第１長尺部材１４０の溝開口と対向するように収容され、幅の広い溝形部１５０Ｂの内側に第３長尺部材１６０が収容されている。第３長尺部材１６０は、溝形状をなし、溝開口が第２長尺部材１５０側に対向した状態で、溝形部１５０Ｂに収容されている。そして、スライドレール１４０Ｓのうち、第１長尺部材１４０が支持ベース１１０に固定され、第３長尺部材１６０が可動演出部材１２０の可動ベース１２１に固定されている。以下、各部材を詳説する。
【００２９】
図５に示されるように、第１長尺部材１４０は、板金を溝形に形成してなり、対向する１対の対向壁１４１，１４１と、それら対向壁１４１同士を連絡する底壁１４２と、を有する。対向壁１４１は、底壁１４２に対して直交する方向に僅かに延びた後、外側に膨らむように湾曲して延び、その湾曲して延びる対向壁１４１の内側部分が第１内側受容部１４１Ｍになっている（図７参照）。底壁１４２は、長手方向の下端部に第１抜け止め部１４３を備え、長手方向の上端部に第２抜け止め部１４４を備えている。第１抜け止め部１４３及び第２抜け止め部１４４は、底壁１４２と連続し、底壁１４２に対して対向壁１４１と同じ側に略直交して延びている。第１抜け止め部１４３は、対向壁１４１と同じ高さまで突出し、第２抜け止め部１４４は、対向壁１４１の略半分程度の位置まで延びている。なお、底壁１４２には、複数のビス孔１４２Ｂが形成されている。
【００３０】
第２長尺部材１５０は、板金を略Ｈ形状に形成してなり、対向する１対の対向壁１５１，１５１と、それら対向壁１５１同士を連絡する連絡壁１５２と、を有し、長手方向が第１長尺部材１４０より僅かに短く（図６（Ａ）参照）、幅方向が第１長尺部材１４０より一回り小さくなっている。対向壁１５１は、図７に示されるように、連絡壁１５２から図７における下側（第１長尺部材１４０側）に僅かに延びた後、図７における上側（第３長尺部材１６０側）に折り返され、内側に膨らむように湾曲してから外側に膨らむように湾曲して延びている。対向壁１５１のうち、内側に膨らむように湾曲することにより窪んだ外側部分が第２外側受容部１５１Ｍ１になっていて、外側に膨らむように湾曲することにより窪んだ内側部分が第２内側受容部１５１Ｍ２になっている。なお、連絡壁１５２より下側の対向壁１５１と連絡壁１５２によって溝形部１５０Ａが形成され、連絡壁１５２より上側の対向壁１５１と連絡壁１５２によって溝形部１５０Ｂが形成されている。
【００３１】
図５に示されるように、連絡壁１５２は、長手方向の下端部に第１抜け止め部１５３を備え、長手方向の上端部に第２抜け止め部１５４を備えている。第１抜け止め部１５３及び第２抜け止め部１５４は、連絡壁１５２と連続し、連絡壁１５２に対して溝形部１５０Ｂ側に略直交して延びている。第１抜け止め部１５３は、対向壁１５１と同じ高さまで突出し、第２抜け止め部１５４は、対向壁１５１より僅かに低い位置まで延びている。連絡壁１５２のうち、第１抜け止め部１５３寄り位置には、溝形部１５０Ａ側（第１長尺部材１４０側）に突出する係合突部１５５が形成されている。係合突部１５５は、図７に示されるように、連絡壁１５２の幅方向の全体に亘って延び、連絡壁１５２からの突出量が溝形部１５０Ａを構成する対向壁１５１より小さくなっている。なお、図５に示されるように、連絡壁１５２には、スライドレール１４０Ｓを支持ベース１１０及び可動ベース１２１に組み付ける際に使用される組付孔１５２Ｈが複数、形成されている。
【００３２】
第３長尺部材１６０は、板金を溝形に形成してなり、対向する１対の対向壁１６１，１６１と、それら対向壁１６１，１６１同士を連絡する底壁１６２と、を有し、長手方向が第２長尺部材１５０と略程度の長さで（図６（Ａ）参照）、幅方向が第２長尺部材１５０より一回り小さいくなっている。対向壁１６１は、図７に示されるように、内側に膨らむように湾曲して延び、その内側に膨らむように湾曲することで窪んだ外側部分が第３外側受容部１６１Ｍになっている。底壁１６２は、図５に示されるように、長手方向の下端部に第１抜け止め部１６３を備えている。第１抜け止め部１６３は、底壁１６２と連続し、底壁１６２に対して対向壁１６１と同じ側に略直交し、１対の対向壁１６１，１６１と同じ高さまで延びている。なお、底壁１６２には、複数のビス孔１６２Ｂが形成されている。
【００３３】
第１中継部材１７０は、略溝形をなして、対向する１対の対向壁１７１，１７１と、それら対向壁１７１同士を連絡する底壁１７２と、を有し、第１長尺部材１４０の略１／３程度の長さをなしている。対向壁１７１は、長手方向で複数（例えば、３つ）に分割された突片１７１Ｗから構成されている。各突片１７１Ｗには、複数の貫通孔１７１Ｈが形成され、その各貫通孔１７１Ｈにボール１７１Ｂが転動可能に受容されている。
【００３４】
図７に示されるように、第１中継部材１７０は、溝開口を第２長尺部材１５０の溝形部１５０Ａと対向した状態で第１長尺部材１４０と第２長尺部材１５０との間に収容される。換言すれば、第１中継部材１７０は、１対の対向壁１７１，１７１と中央突部１７３の間に、第２長尺部材１５０の下側の１対の対向壁１５１，１５１が受容された状態で、第１長尺部材１４０に収容される。そして、対向壁１７１から突出したボール１７１Ｂが、第１長尺部材１４０の第１内側受容部１４１Ｍと、第２長尺部材１５０の第２外側受容部１５１Ｍ１とに跨がって受容され、ボール１７１Ｂが第１内側受容部１４１Ｍと第２外側受容部１５１Ｍ１との間を摺接可能に係合されている。
【００３５】
図５及び図７に示されるように、第１中継部材１７０には、底壁１７２に第２長尺部材１５０側に段付き状に突出する中央突部１７３が備えられている。中央突部１７３は、第２長尺部材１５０の係合突部１５５と当接可能な位置まで突出し、その長手方向の下端部に下側に開放する係合溝１７５が形成されている。係合溝１７５は、第２長尺部材１５０の係合突部１５５を受容可能な幅をなしている。なお、中央突部１７３には、組付孔１７３Ｈが形成されている。
【００３６】
図５に示されるように、第２中継部材１８０は、略溝形をなして、対向する１対の対向壁１８１，１８１と、それら対向壁１８１同士を連絡する底壁１８２と、を有し、長手方向が第１中継部材１７０と同程度の長さで、幅方向が第１中継部材１７０より一回り小さくなっている（図７参照）。対向壁１８１は、長手方向で複数（例えば、３つ）に分割された突片１８１Ｗから構成されている。各突片１８１Ｗには、複数の貫通孔１８１Ｈが形成され、その各貫通孔１８１Ｈにボール１８１Ｂが転動可能に受容されている。
【００３７】
図７に示されるように、第２中継部材１８０は、溝開口を第３長尺部材１６０側に向けた状態で、第２長尺部材１５０と第３長尺部材１６０との間に収容される。換言すれば、第２中継部材１８０は、１対の対向壁１８１，１８１と湾曲部１８３の間に、第３長尺部材１６０の１対の対向壁１６１，１６１が受容された状態で、第２長尺部材１５０に収容される。そして、対向壁１８１から突出したボール１８１Ｂが、第２長尺部材１５０の第２内側受容部１５１Ｍ２と、第３長尺部材１６０の第３外側受容部１６１Ｍとに跨がって受容され、ボール１８１Ｂが第２内側受容部１５１Ｍ２と第３外側受容部１６１Ｍとの間を摺接可能に係合されている。
【００３８】
第２中継部材１８０には、底壁１８２を湾曲させた湾曲部１８３が形成されている。湾曲部１８３は、底壁１８２に対して溝の内側（第３長尺部材１６０側）に傾斜する１対の傾斜壁１８３Ａ，１８３Ａと、これら傾斜壁１８３Ａ同士の間を溝の外側（第２長尺部材１５０側）に膨らむように湾曲して連絡する湾曲壁１８３Ｂと、から構成されている。湾曲部１８３により、第２中継部材１８０が幅方向に撓み易くなっていて、第１長尺部材１４０及び第３長尺部材１６０に第２中継部材１８０を組み付け易くなっている。なお、湾曲部１８３には、組付孔１８３Ｈが形成されている。
【００３９】
スライドレール１４０Ｓは、可動演出部材１２０が待機位置に配置されたときには、図６（Ａ）に示される縮小状態に保持される。このとき、スライドレール１４０Ｓは、第２長尺部材１５０の第１抜け止め部１５３が第１長尺部材１４０の第１抜け止め部１４３に下側から受け止められると共に、第３長尺部材１６０の第１抜け止め部１６３が第２長尺部材１５０の第１抜け止め部１５３に受け止められ、下側への移動を制限されている。
【００４０】
所定の移動条件が成立すると、移動駆動機構１３０により、可動演出部材１２０に固定された第３長尺部材１６０が第２長尺部材１５０に対して上側にスライドすると共に、第２長尺部材１５０が第１長尺部材１４０に対して上側にスライドする。可動演出部材１２０が演出位置に配置されると、スライドレール１４０Ｓは、縮小状態に比べて２倍程度の長さとなる延長状態となる。このとき、スライドレール１４０Ｓは、図６（Ｂ）に示されるように、第２中継部材１８０が、第２長尺部材１５０の第２抜け止め部１５４に当接すると共に、第３長尺部材１６０の第１抜け止め部１６３に当接して、移動を制限されている。また、第１中継部材１７０が、第１長尺部材１４０の第２抜け止め部１４４に当接すると共に、係合溝１７５に第２長尺部材１５０の係合突部１５５が係合して、移動を制限されている。なお、第２長尺部材１５０の係合突部１５５は、係合突部１５５が第１中継部材１７０の係合溝１７５の奥面に当接したときに、第１中継部材１７０の下端部（詳細には、最も下端側のボール１７１Ｂ）が第２長尺部材１５０の下端部より下側に突出しない位置に配置されている。
【００４１】
なお、スライドレール１４０Ｓが延長状態となるときに、可動演出部材１２０が演出位置に配置される構成であってもよいし、延長状態となる手前の状態で、可動演出部材１２０が演出位置に配置される構成であってもよい。
【００４２】
ところで、可動演出部材１２０が待機位置に配置されている状態、即ち、スライドレール１４０Ｓが縮小状態で待機しているときは、第１中継部材１７０及び第２中継部材１８０は、通常、第１長尺部材１４０、第２長尺部材１５０及び第３長尺部材１６０の長手方向の中央付近に位置する。しかしながら、従来のスライドレールでは、振動等によって第１中継部材が第１長尺部材及び第２長尺部材の下端部側へと移動してしまうことがあり、その場合に、スライドレールを延長状態へと変化させようとすると、第１中継部材がスライドし難くなることがあった。そこで、本実施形態のスライドレール１４０Ｓには、第１中継部材１７０の移動を制限するストッパ１４６が設けられている。
【００４３】
ストッパ１４６は、図５に示されるように、第１長尺部材１４０の第１内側受容部１４１Ｍのうち第１抜け止め部１４３から長手方向に略１／３程度、離れた中央側に設けられている。ストッパ１４６は、図７及び図８に示されるように、対向壁１４１を外側から内側に押圧してなり、対向壁１４１の内側面に対して段付き状に突出している。より詳細には、ストッパ１４６は、第１長尺部材１４０と第２長尺部材１５０との対向方向からみて断面台形状をなし（図８参照）、第１中継部材１７０側を向く側面が対向壁１４１に対して直交している。縮小状態のスライドレール１４０Ｓにおいて、振動等により第１中継部材１７０が第１長尺部材１４０及び第２長尺部材１５０の下端側へ移動すると、第１中継部材１７０のボール１７１Ｂがストッパ１４６の長手方向を向く側面に当接し、第１中継部材１７０が下端側への移動を制限される。
【００４４】
また、本実施形態では、第２中継部材１８０の移動を制限するストッパ１５６が設けられている。具体的には、ストッパ１５６は、図５に示されるように、第２長尺部材１５０の第２内側受容部１５１Ｍ２のうち第１抜け止め部１５３から長手方向に略１／３程度離れた中央側に設けられている。ストッパ１５６は、ストッパ１４６と同様に、対向壁１５１を外側から内側に押圧してなり、対向壁１５１の内側面から段付き状に突出し、図示しないが、断面台形状をなして、第２中継部材１８０側を向く側面が対向壁１５１に対して直交している。これにより、縮小状態のスライドレール１４０Ｓにおいて、振動等により第２中継部材１８０が第２長尺部材１５０及び第３長尺部材１６０の下端側へ移動すると、第２中継部材１８０のボール１８１Ｂがストッパ１５６の長手方向を向く側面に当接し、第２中継部材１８０が下端側への移動を制限される。
【００４５】
このように、本実施形態の遊技機１０では、ストッパ１４６により第１中継部材１７０を、縮小状態で第１長尺部材１４０及び第２長尺部材１５０の下端と上端との間の中間位置に保持することができるので、第１中継部材１７０がスライドし難くなることを低減することができ、従来より第１中継部材１７０をスムーズに移動させることが可能となる。また、ストッパ１５６により第２中継部材１８０を、縮小状態で第２長尺部材１５０及び第３長尺部材１６０の下端と上端との間の中間位置に保持することができるので、第２中継部材１８０がスライドし難くなることを低減することができ、第２中継部材１８０においてもスムーズに移動させることが可能となる。
【００４６】
本実施形態では、スライドレール１４０Ｓが、縮小状態から上側にのみ伸長する構成となっていて、ストッパ１４６，１５６は、縮小状態から延長状態に変化するときに、第１中継部材１７０及び第２中継部材１８０が移動する方向と反対側である下側に配置されている。これにより、第１中継部材１７０及び第２中継部材１８０の上側への移動を妨げることなく（換言すれば、スライドレール１４０Ｓの伸長距離を短くすることなく）、第１中継部材１７０及び第２中継部材１８０の移動を制限可能となっている。
【００４７】
本実施形態によれば、ストッパ１４６，１５６を、第１長尺部材１４０及び第２長尺部材１５０の対向壁１４１，１５１を段付き状に突出させるという簡単な構成により実現することができる。また、ストッパを第１長尺部材１４０の底壁１４２に設ける場合には、第２長尺部材１５０の係合突部１５５と係合する第１中継部材１７０の係合溝１７５を避けた位置に配置する必要があり、配置スペースの確保が困難となるが、本実施形態では、ストッパ１４６を第１長尺部材１４０の対向壁１４１に設けたので、係合溝１７５との位置関係に関係なく容易に配置することが可能となる。
【００４８】
なお、本実施形態は、以下の構成であってもよい。
（１）スライドレール１４０Ｓにおいて、ストッパ１４６，１５６を、第１長尺部材１４０の底壁１４２及び第２長尺部材１５０の連絡壁１５２に形成した構成としてもよい。
【００４９】
（２）スライドレール１４０Ｓにおいて、ストッパ１４６，１５６を、各長尺部材１４０，１５０の対向壁１４１，１５１のうち何れか一方の対向壁１４１，１５１に１つだけ形成した構成としてもよい。
【００５０】
（３）可動役物装置１００を機構枠１７の上辺部に備え、可動演出部材１２０を下側へと移動させる構成としてもよい。その場合には、スライドレール１４０Ｓを、第１長尺部材１４０の第１抜け止め部１４３が上側となるように配置する。そして、ストッパ１４６，１５６に替えて、第２長尺部材１５０の第２外側受容部１５１Ｍ１上の下端側となる第２抜け止め部１５４から長手方向の中央側に離れた位置に第１中継部材１７０の移動を制限するストッパを設け、第３長尺部材１６０の第３外側受容部１６１Ｍ上の下端部から長手方向の中央側に離れた位置に第２中継部材１８０の移動を制限するストッパを設ける構成とすればよい。
【００５１】
［第２実施形態］
図９〜図１３には、本実施形態に係る可動役物装置２００が示されている。可動役物装置２００は、図９に示されるように、機構枠１７の下辺部１７Ｋに代えて側辺部１７Ｓに取り付けられて、可動演出部材２２０が左右方向に移動する点が第１実施形態の可動役物装置１００と異なる。また、本実施形態の可動役物装置２００には、第１実施形態のスライドレール１４０Ｓに代えて構成の異なるスライドレール２４０Ｓが備えられている。
【００５２】
可動役物装置２００には、支持ベース２１０に左右方向に延びるガイド孔２１１及びスライドレール２４０Ｓが備えられ、可動演出部材２２０が、図９（Ａ）から図９（Ｂ）の変化に示されるように、機構枠１７の側辺部１７Ｓに重なる待機位置と、開口部１７Ａに前側から重なる演出位置との間を移動する。なお、可動演出部材２２０を駆動させる直動駆動機構は、第１実施形態の直動駆動機構１３０と同じになっている。
【００５３】
図１０に示されるように、スライドレール２４０Ｓは、第１長尺部材２４０、第２長尺部材２５０及び第３長尺部材２６０と、第１中継部材２７０及び第２中継部材２８０と、を備えている。図１２に示されるように、第１長尺部材２４０及び第３長尺部材２６０は、同じ大きさの溝形状をなして、互いの溝開口を対向させている。第２長尺部材２５０は、第１長尺部材２４０と第３長尺部材２６０との対向方向で対称な断面Ｈ形状をなし、各溝形部２５０Ａ，２５０Ｂを第１長尺部材２４０及び第３長尺部材２６０と対向させた状態で第１長尺部材２４０と第３長尺部材２６０との間に受容されている。以下、各部材について説明する。
【００５４】
第１長尺部材２４０は、第１実施形態のスライドレール１４０Ｓの第１長尺部材１４０と同様な構成となっている。具体的には、図１０に示されるように、第１長尺部材２４０は、板金を溝形状に形成してなり、１対の対向壁２４１，２４１と、底壁２４２と、を有する。対向壁２４１には、外側に湾曲して延びる内側部分に第１受容部２４１Ｍが形成され、底壁２４２のうち、長手方向の左端部に第１抜け止め部２４３が備えられ、右端部に第２抜け止め部２４４が備えられている。なお、底壁２４２には、複数のビス孔２４２Ｂが形成されている。
【００５５】
第３長尺部材２６０は、第１長尺部材２４０と同じ部材で構成され、第２長尺部材２５０に対して第１長尺部材２４０と点対称に配置されている。なお、以下では、第１長尺部材２４０の各部位と対応する第３長尺部材２６０の各部位に、十の位を「６」とした符号を付して説明する。
【００５６】
第２長尺部材２５０は、圧延によって成形されたＨ形状をなし、対向する１対の対向壁２５１，２５１と、対向壁２５１同士の間を連絡する連絡壁２５２と、を有し、連絡壁２５２より対向壁２５１の方が僅かに厚くなっている。対向壁２５１には、その外側面に長手方向に沿って延びる受容部２５１Ｍが、複数、形成されていている。受容部２５１Ｍは、対向壁２５１の端部寄り位置に設けられ、断面半円形状をなしている。なお、以下の説明において、対向壁２５１のうち、連絡壁２５２より第１長尺部材２４０側の受容部２５１Ｍ、２５１Ｍを第１受容部２５１Ｍ，２５１Ｍ、連絡壁２５２より第３長尺部材２６０側の受容部２５１Ｍ，２５１Ｍを第２受容部２５１Ｍ，２５１Ｍと、適宜、称する。
【００５７】
連絡壁２５２には、第１長尺部材２４０と対向する対向面の左端部寄り位置と、第３長尺部材２６０と対向する対向面の右端部寄り位置に、係合突部２５５が設けられている。係合突部２５５は、図１１（Ａ）に示されるように、連絡壁２５２を片持ち梁状に切り欠いてなり、連絡壁２５２に一体に形成されている。詳細には、係合突部２５５は、長手方向の中央に向うように傾斜して延びた後、連絡壁２５２と平行に延びている。
【００５８】
図１０に示されるように、第１中継部材２７０は、略溝形をなして、対向する１対の対向壁２７１，２７１と、対向壁２７１同士を連絡する底壁２７２と、を有し、第１長尺部材２４０の略１／３程度の長さをなしている。対向壁２７１は、長手方向で複数（例えば、５つ）に分割された突片２７１Ｗから構成されている。各突片２７１Ｗには、貫通孔２７１Ｈが形成され、その各貫通孔２７１Ｈにボール２７１Ｂが転動可能に受容されている。
【００５９】
図１２に示されるように、第１中継部材２７０は、溝開口を第２長尺部材２５０の溝形部２５０Ａと対向した状態で第１長尺部材２４０と第２長尺部材２５０との間に収容される。換言すれば、第１中継部材２７０は、１対の対向壁２７１，２７１と中央突部２７３の間に、第２長尺部材２５０の１対の対向壁２５１，２５１の先端部が受容された状態で、第１長尺部材２４０に収容される。そして、対向壁２７１から突出したボール２７１Ｂが、第１長尺部材２４０の第１受容部２４１Ｍと、第２長尺部材２５０の第１受容部２５１Ｍとに跨がって受容され、ボール２７１Ｂが第１受容部２４１Ｍと第１受容部２５１Ｍとの間を摺接可能に係合されている。
【００６０】
第１中継部材２７０には、底壁２７２に対して第２長尺部材２５０側に段付き状に突出する中央突部２７３が備えられている。中央突部２７３は、第２長尺部材２５０の係合突部２５５と当接可能な位置まで突出し、図１０に示されるように、その長手方向の左端部に左側に開放する係合溝２７５が形成されている。係合溝２７５は、第２長尺部材２５０の係合突部２５５を受容可能な幅をなし、その奥側縁部の壁が第２長尺部材２５０側に略球状に突出している。なお、中央突部２７３には、組付孔２７３Ｈが形成されている。
【００６１】
第２中継部材２８０は、第１中継部材２７０と同じ部品で構成されている。なお、以下では、第１中継部材２７０の各部位と対応する第２中継部材２８０の各部位に、十の位を「８」とした符号を付して説明する。
【００６２】
図１２に示されるように、第２中継部材２８０は、第２長尺部材２５０に対して第１中継部材２７０と点対称に配置される。具体的には、第２中継部材２８０は、溝開口を第２長尺部材２５０の溝形部２５０Ｂと対向した状態で第２長尺部材２５０と第３長尺部材２６０との間に収容される。換言すれば、第２中継部材２８０は、１対の対向壁２８１，２８１と中央突部２８３の間に、第２長尺部材２５０の１対の対向壁２５１，２５１の先端部が受容された状態で、第３長尺部材２６０に収容される。そして、対向壁２８１から突出したボール２８１Ｂが、第２長尺部材２５０の第２受容部２５１Ｍと、第３長尺部材２６０の第３受容部２６１Ｍとに跨がって受容され、ボール２８１Ｂが第３受容部２６１Ｍと第２受容部２５１Ｍとの間を摺接可能に係合されている。
【００６３】
スライドレール２４０Ｓは、可動演出部材２２０が待機位置に配置されたときには、図１１（Ａ）に示される縮小状態に保持される。このとき、スライドレール２４０Ｓは、第２長尺部材２５０の左端部が、第１長尺部材２４０の第１抜け止め部２４３に当接すると共に、第３長尺部材２６０の第１抜け止め部２６３が第２長尺部材２５０の右端部に当接し、左側への移動を制限されている。
【００６４】
所定の移動条件が成立すると、移動駆動機構により、可動演出部材２２０に固定された第３長尺部材２６０が第２長尺部材２５０に対して右側にスライドすると共に、第２長尺部材２５０が第１長尺部材２４０に対して右側にスライドする。可動演出部材２２０が演出位置に配置されると、スライドレール２４０Ｓは、縮小状態の２倍程度の長さの延長状態となる。このとき、スライドレール２４０Ｓは、図１１（Ｂ）に示されるように、第２中継部材２８０が、係合溝２８５に第２長尺部材２５０の右側の係合突部２５５が係合すると共に、左端部が第３長尺部材２６０の第２抜け止め部２６４に当接し、移動を制限されている。また、第１中継部材２７０が、右端部が第１長尺部材２４０の第２抜け止め部２４４に当接すると共に、係合溝２８５に第２長尺部材２５０の左側の係合突部２５５が係合し、移動を制限されている。
【００６５】
本実施形態のスライドレール２４０Ｓでは、第１長尺部材２４０と第２長尺部材２５０に第１中継部材２７０の移動を制限するストッパ２４６，２５６Ａが設けられ、第２長尺部材２５０と第３長尺部材２６０に第２中継部材２８０の移動を制限するストッパ２５６Ｂ，２６６が設けられている。具体的には、図１１（Ａ）に示されるように、縮小状態のスライドレール２４０Ｓにおいて、第１中継部材２７０を長手方向で挟んだ左側にストッパ２４６が設けられ、右側にストッパ２５６Ａが設けられている。また、第２中継部材２８０を長手方向で挟んだ左側にストッパ２５６Ｂが設けられ、右側にストッパ２６６が設けられている。
【００６６】
図１０に示されるように、ストッパ２４６は、第１長尺部材２４０の底壁２４２のうち、第１抜け止め部２４３から長手方向に略１／３程度、離れた中央側で、図１３（Ａ）に示されるように、第１中継部材２７０の係合溝２７５の開口部を避けて底壁２４２と対向する位置に２つ、配置されている。ストッパ２４６は、長手方向に延びる片持ち梁状をなし、長手方向の中央側を向く先端部分が連絡壁２５２側に折り曲げられて、連絡壁２５２に対して段付き状に突出している。これにより、縮小状態のスライドレール２４０Ｓにおいて、振動等により第１中継部材２７０が左側に移動すると、第１中継部材２７０の連絡壁２５２（詳細には、図１２に示されるように、連絡壁２５２と中央突部２７３との角部）がストッパ２４６の先端面に当接して、移動を制限される。
【００６７】
図１０に示されるように、ストッパ２５６Ａは、第２長尺部材２５０の１対の対向壁２５１，２５１のうち、一方の対向壁２５１にのみ設けられ、第２長尺部材２５０の右端部から長手方向の中央側に略１／３程度、離れた位置で、第１長尺部材２４０と対向する先端側に配置されている。ストッパ２５６Ａは、図１０及び図１２に示されるように、対向壁２５１の長手方向の２カ所を先端部のみ切り離して、その切り離された片持ち梁状の対向壁２５１を外側に倒し、第２長尺部材２５０の第１受容部２５１Ｍを塞ぐように突出させてなる。これにより、縮小状態のスライドレール２４０Ｓにおいて、振動等により第１中継部材２７０が右側に移動すると、図１３（Ｂ）に示されるように、第１中継部材２７０の対向壁２７１がストッパ２５６Ａの側面に当接して、移動を制限される。また、ストッパ２５６Ａは、図１１（Ａ）及び図１１（Ｂ）に示されるように、スライドレール２４０Ｓが縮小状態から延長状態へと変化するときに、第１中継部材２７０より右側に配置されるので、縮小状態から延長状態に変化するときの第１中継部材２７０の移動を制限しないようになっている。
【００６８】
図１０に示されるように、ストッパ２５６Ｂは、ストッパ２５６Ａと同じ対向壁２５１のうち、第２長尺部材２５０のストッパ２５６Ａ寄りの右端部と反対側の左端部から長手方向の中央側に略１／３程度、離れた位置で、第３長尺部材２６０と対向する先端側に配置されている。ストッパ２５６Ｂは、ストッパ２５６Ａと同様の構成をなし、第２受容部２５１Ｍを塞ぐように外側に突出している。これにより、縮小状態のスライドレール２４０Ｓにおいて、振動等により第２中継部材２８０が左側に移動すると、第２中継部材２８０の対向壁２８１がストッパ２５６Ｂの側面に当接して、移動を制限される。
【００６９】
図１１（Ａ）に示されるように、ストッパ２６６は、ストッパ２４６と同様の構成をなし、第３長尺部材２６０の底壁２６２の第１抜け止め部２６３から長手方向に略１／３程度、離れた中央側に位置する。これにより、縮小状態のスライドレール２４０Ｓにおいて、振動等により第２中継部材２８０が右側に移動すると、第２中継部材２８０の底壁２８２がストッパ２６６の先端面に当接して、移動を制限される。また、ストッパ２６６は、図１１（Ａ）及び図１１（Ｂ）に示されるように、スライドレール２４０Ｓが縮小状態から延長状態へと変化するときに、第２中継部材２８０より右側に配置されるので、縮小状態から延長状態に変化するときの第２中継部材２８０の移動を制限しないようになっている。
【００７０】
このように、本実施形態のスライドレール２４０Ｓでは、縮小状態の第１中継部材２７０を挟んだ長手方向の両側にストッパ２４６，２５６Ａが設けられていると共に、第２中継部材２８０を挟んだ長手方向の両側にストッパ２５６Ｂ，２６６が設けられているので、第１中継部材２７０及び第２中継部材２８０を、第１長尺部材２４０〜第３長尺部材２６０の長手方向の中間位置に保持することが可能となる。これにより、第１中継部材２７０及び第２中継部材２８０がスライドし難くなることを低減することができ、従来より第１中継部材２７０及び第２中継部材２８０をスムーズに移動させることが可能となる。
【００７１】
また、本実施形態は、ストッパ２５６Ａ，２５６Ｂを、第２長尺部材２５０の一方の対向壁２５１にのみ形成したので、より簡単な構成となっている。
【００７２】
なお、本実施形態は、以下の構成であってもよい。
（１）スライドレール２４０Ｓにおいて、ストッパ２４６びストッパ２６６を、各長尺部材２４０，２６０の対向壁２４１，２６１に設けた構成としてもよい。
【００７３】
（２）スライドレール２４０Ｓにおいて、ストッパ２４６，２６６を、それぞれ１つだけとしてもよい。
【００７４】
（３）スライドレール２４０Ｓにおいて、ストッパ２５６Ａを第２長尺部材２５０の１対の対向壁２５１，２５１の何れか一方の対向壁２５１に設け、ストッパ２５６Ｂを他方の対向壁２５１に設けた構成としてもよい。
【００７５】
（４）スライドレール２４０Ｓにおいて、ストッパ２６６のみを排除した構成としてもよいし、ストッパ２５６Ａ及びストッパ２６６を排除した構成としてもよい。
【００７６】
［第３実施形態］
本実施形態では、第２実施形態の可動役物装置２００において、スライドレール２４０Ｓに代えて図１４〜図１７に示されるスライドレール３４０Ｓが用いられている。スライドレール３４０Ｓは、第２実施形態のスライドレール２４０Ｓと同様に、第１長尺部材３４０と第３長尺部材３６０が互いの溝開口を対向させ、その内部に断面Ｈ形状をなす第２長尺部材３５０を受容し、第１長尺部材３４０と第２長尺部材３５０の間に受容される第１中継部材３７０がスライド可能に係合し、第２長尺部材３５０と第３長尺部材３６０の間に受容される第２中継部材３８０がスライド可能に係合している。
【００７７】
図１４に示されるように、第１長尺部材３４０は、圧延により成形された溝形状をなし、対向する１対の対向壁３４１、３４１と、対向壁３４１同士の間を連絡する底壁３４２と、を有する。対向壁３４１は、底壁３４２に対して直交する方向に延び、その内面に断面半円形状の第１受容部３４１Ｍが形成されている。第１長尺部材３４０には、長手方向の左端部に対向壁３４１同士の間を棒体３４３Ｂを架け渡してなる第１抜け止め部３４３が形成され、右端部に連絡壁３５２を内側に突出させた第２抜け止め部３４４が形成されている。なお、底壁３４２には、複数のビス孔３４２Ｂが形成されている。
【００７８】
第３長尺部材３６０は、第１長尺部材３４０と同じ部材で構成され、第２長尺部材３５０に対して第１長尺部材３４０と点対称に配置されている。なお、以下では、例えば、第１長尺部材３４０の各部位と対応する第３長尺部材３６０の各部位に、十の位を「６」とした符号を付して説明する。
【００７９】
第２長尺部材３５０は、圧延により成形されたＨ形状をなし、対向する１対の対向壁３５１，３５１と、対向壁３５１同士の間を連絡する連絡壁３５２と、を有し、連絡壁３５２が対向壁３５１に比べて分厚く、対向壁３５１の連絡壁３５２からの突出量が比較的小さくなっている。対向壁３５１には、その外側面に長手方向に沿って延びる受容部３５１Ｍが、複数、形成されていている。受容部３５１Ｍは、対向壁３５１の端部寄り位置に設けられ、断面Ｖ字状をなしている（図１６参照）。なお、以下の説明において、第１長尺部材３４０側の受容部３５１Ｍ、３５１Ｍを第１受容部３５１Ｍ，３５１Ｍ、第３長尺部材３６０側の受容部３５１Ｍ，３５１Ｍを第２受容部３５１Ｍ，３５１Ｍと、適宜、称する。
【００８０】
連絡壁３５２には、長手方向の端部寄り位置に係合突部３５５が形成されている。係合突部３５５は、連絡壁３５２のうち、第１長尺部材３４０と対向する対向面の一端寄り位置と、第３長尺部材３６０と対向する対向面の他端寄り位置とに設けられている。各係合突部３５５は、連絡壁３５２に形成された貫通孔３５５Ａに第１長尺部材３４０側又は第３長尺部材３６０側から棒体３５５Ｂを圧入させてなる。
【００８１】
第１中継部材３７０は、略溝形をなして、対向する１対の対向壁３７１，３７１と、対向壁３７１同士を連絡する底壁３７２と、を有し、第１長尺部材３４０の略１／３程度の長さをなしている。対向壁３７１は、長手方向で複数（例えば、３つ）に分割された突片３７１Ｗから構成されている。各突片３７１Ｗには、貫通孔３７１Ｈが形成され、その各貫通孔３７１Ｈにボール３７１Ｂが転動可能に受容されている。図１６に示されるように、第１中継部材３７０は、溝開口を第２長尺部材３５０の溝形部３５０Ａと対向した状態で第１長尺部材３４０と第２長尺部材３５０との間に収容され、ボール３７１Ｂが第１受容部３４１Ｍと第１受容部３５１Ｍとの間を摺接可能に係合されている。
【００８２】
第１中継部材３７０には、底壁３７２に対して第２長尺部材３５０側に段付き状に突出する中央突部３７３が備えられている。中央突部３７３は、第２長尺部材３５０の係合突部３５５と当接可能な位置まで突出し、図１４に示されるように、その長手方向の左端部に左側に開放する係合溝３７５が形成されている。係合溝３７５は、第２長尺部材２５０の係合突部２５５を受容可能な幅の半円形状をなしている。なお、中央突部３７３には、組付孔３７３Ｈが形成されている。
【００８３】
第２中継部材３８０は、第１中継部材３７０と同じ部品で構成されている。なお、以下では、第１中継部材３７０の各部位と対応する第２中継部材３８０の各部位に、十の位を「８」とした符号を付して説明する。
【００８４】
図１６に示されるように、第２中継部材３８０は、第２長尺部材３５０に対して第１中継部材３７０と点対称に配置される。具体的には、第２中継部材３８０は、溝開口を第２長尺部材３５０の溝形部３５０Ｂと対向した状態で第２長尺部材３５０と第３長尺部材３６０との間に収容され、ボール３８１Ｂが第３受容部３６１Ｍと第２受容部３５１Ｍとの間を摺接可能に係合されている。
【００８５】
スライドレール３４０Ｓは、可動演出部材２２０が待機位置に配置されたときには、図１５（Ａ）に示される縮小状態に保持される。このとき、スライドレール３４０Ｓは、第２長尺部材３５０の左端部が、第１長尺部材３４０の第１抜け止め部３４３に当接すると共に、第３長尺部材３６０の第１抜け止め部３６３が第２長尺部材２５０の右端部に当接し、左側への移動を制限されている。
【００８６】
所定の移動条件が成立すると、移動駆動機構により、可動演出部材２２０に固定された第３長尺部材３６０が第２長尺部材３５０に対して右側にスライドすると共に、第２長尺部材３５０が第１長尺部材３４０に対して右側にスライドする。可動演出部材２２０が演出位置に配置されると、スライドレール３４０Ｓは、縮小状態の２倍程度の長さの延長状態となる。このとき、スライドレール３４０Ｓは、図１５（Ｂ）に示されるように、第２中継部材３８０が、係合溝３８５に第２長尺部材３５０の右側の係合突部３５５が係合すると共に、左端部が第３長尺部材３６０の第２抜け止め部３６４に当接し、移動を制限されている。また、第１中継部材３７０が、右端部が第１長尺部材３４０の第２抜け止め部３４４に当接すると共に、係合溝３８５に第２長尺部材３５０の左側の係合突部３５５が係合し、移動を制限されている。
【００８７】
本実施形態のスライドレール３４０Ｓには、図１４に示されるように、第２実施形態のスライドレール２４０Ｓと同様に、縮小状態のスライドレール３４０Ｓにおいて、第１中継部材３７０を長手方向で挟んだ左側にストッパ３４６が設けられ、右側にストッパ３５６Ａが設けられている。また、第２中継部材３８０を長手方向で挟んだ左側にストッパ３５６Ｂが設けられ、右側にストッパ３６６が設けられている。
【００８８】
ストッパ３４６は、第１長尺部材３４０の各対向壁３４１の第１長尺部材３４０の左端部から長手方向の中央側に略１／３程度、離れた位置に設けられている。ストッパ３４６は、対向壁３４１の第１受容部３４１Ｍ上に形成された貫通孔３４６Ａに角状の棒体３４６Ｂを圧入してなる。これにより、図１７（Ａ）に示されるように、縮小状態のスライドレール３４０Ｓにおいて、振動等により第１中継部材３７０が左側に移動すると、第１中継部材３７０のボール３７１Ｂがストッパ３４６の側面に当接して、移動を制限される。
【００８９】
ストッパ３５６Ａ，３５６Ｂは、第２長尺部材３５０の両対向壁３５１，３５１に設けられ、それ以外は、第２実施形態の第２長尺部材２５０に設けられたストッパ２５６Ａ，２５６Ｂと同様な構成となっている。これにより、縮小状態のスライドレール３４０Ｓにおいて、振動等により第１中継部材３７０が右側に移動すると、第１中継部材３７０の対向壁３７１がストッパ３５６Ａの側面に当接して、移動を制限される。また、第２中継部材３８が左側に移動すると、図１７（Ｂ）に示されるように、第２中継部材３８０の対向壁３８１がストッパ３５６Ｂの側面に当接して、移動を制限される。
【００９０】
ストッパ３６６は、ストッパ３４６と同様の構成をなし、第３長尺部材３６０の底壁３６２の右端部から長手方向に略１／３程度、離れた中央側に位置する。これにより、振動等により第２中継部材３８０が右側に移動すると、第２中継部材３８０のボール３８１Ｂがストッパ３６６の側面に当接して、移動を制限される。
【００９１】
このように、本実施形態のスライドレール３４０Ｓにおいても、第２実施形態のスライドレール２４０Ｓと同様の効果を奏ることができる。
【００９２】
なお、本実施形態は、以下の構成であってもよい。
（１）スライドレール３４０Ｓにおいて、ストッパ３４６，３６６を、各長尺部材３４０，３６０の底壁３４２，３６２に設けた構成としてもよい。
【００９３】
（２）スライドレール３４０Ｓにおいて、ストッパ３４６，３５６Ａ，３５６Ｂ，３６６を、それぞれ１つの構成としてもよい。
【００９４】
（３）スライドレール３４０Ｓにおいて、ストッパ２６６のみを排除した構成としてもよいし、ストッパ２５６Ａ及びストッパ２６６を排除した構成としてもよい。
【００９５】
［他の実施形態］
（１）上記第１実施形態の可動役物装置１００において、ガイド突部１２２及びガイド孔１１１を備えずに、スライドレール１４０Ｓのみとしてもよい。その場合には、例えば、可動演出部材１２０の可動ベース１２１にラックを備え、駆動源１３０Ｋからの動力をギヤを介してラックに伝達する構成とし、可動演出部材１２０を移動可能な構成とすればよい。なお、上記第２実施形態の可動役物装置２００においても、同様である。
【００９６】
（２）可動演出部材１２０、２２０の移動方向は、遊技盤１１と平行な面内であってもよいし、遊技盤１１と直交する前後方向であってもよい。
【００９７】
＜付記１＞
以下、本実施形態の遊技機１０から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００９８】
［特徴Ａ１］
平行に延びる第１、第２、第３の長尺部材（第１長尺部材２４０，第２長尺部材２５０，第３長尺部材２６０）が順番にスライド可能に係合し、それら長尺部材の基端同士が最も接近する縮小状態（図１１（Ａ）に示す状態）と、前記第１の長尺部材の先端に第２の長尺部材の基端が最も接近しかつ前記第２の長尺部材の先端に前記第３の長尺部材の基端が最も接近する延長状態（図１１（Ｂ）に示す状態）と、の間で伸縮する伸縮ユニット（スライドレール２４０Ｓ）により可動演出部材（２２０）を支持ベース（２１０）に対してスライド可能に支持している遊技機（１０）において、
前記第１及び第２の長尺部材は、それらの間に配置される第１の中継部材（第１中継部材２７０）を介してスライド可能に係合し、
前記第２及び第３の長尺部材は、それらの間に配置される第２の中継部材（第２中継部材２８０）を介してスライド可能に係合し、
前記第１の長尺部材に設けられ、前記第１の中継部材が前記第１の長尺部材の基端側へ移動することを規制する第１の基端側ストッパ（ストッパ２４６）と、
前記第２の長尺部材に設けられ、前記第１の中継部材が前記第２の長尺部材の先端側へ移動することを規制する第２の先端側ストッパ（ストッパ２５６Ａ）と、を有し、
前記第１の基端側ストッパと前記第２の先端側ストッパとにより、前記第１の中継部材が、前記縮小状態で前記第１及び第２の長尺部材の基端と先端との間の中間位置に保持される遊技機。
【００９９】
本特徴に示す構成によれば、第１の基端側ストッパと第２の先端側ストッパとにより、第１の中継部材を、縮小状態で第１及び第２の長尺部材の基端と先端との間の中間位置に保持することができるので、第１の中継部材がスライドし難くなることを低減することができ、従来より第１の中継部材をスムーズに移動させることが可能となる。
【０１００】
［特徴Ａ２］
前記第２の長尺部材に設けられ、前記第２の中継部材が前記第２の長尺部材の基端側へ移動することを規制する第２の基端側ストッパ（ストッパ２５６Ｂ）と、
前記第３の長尺部材に設けられ、前記第２の中継部材が前記第３の長尺部材の先端側へ移動することを規制する第３の先端側ストッパ（ストッパ２６６）と、を有し、
前記第２の基端側ストッパと前記第３の先端側ストッパとにより、前記第２の中継部材が、前記縮小状態で前記第２及び第３の長尺部材の基端と先端との間の中間位置に保持される特徴Ａ１に記載の遊技機。
【０１０１】
本特徴に示す構成によれば、第２の基端側ストッパと第３の先端側ストッパとにより、第２の中継部材を、縮小状態で第２及び第３の長尺部材の基端と先端との間の中間位置に保持することができるので、第２の中継部材においても、スライドし難くなることを低減することが可能となる。
【０１０２】
［特徴Ａ３］
前記第２の長尺部材に設けられ、前記第２の中継部材が前記第２の長尺部材の基端側へ移動することを規制する第２の基端側ストッパ（ストッパ２５６Ｂ）を有する特徴Ａ１に記載の遊技機。
【０１０３】
本特徴に示す構成によれば、第２の基端側ストッパにより、第２の中継部材を、縮小状態で第２及び第３の長尺部材の中間位置に保持することができるので、第２の中継部材においても、スライドし難くなることを低減することが可能となる。
【０１０４】
［特徴Ａ４］
前記第１及び第３の長尺部材は、溝形状をなして、それらの溝開口が対向する向きに配置され、
前記第１及び第２の中継部材は、溝形状をなして、それらの溝開口が対向する向きに配置された状態で前記第１及び第３の長尺部材に受容され、
前記第２の長尺部材は、１対の溝形部（溝形部２５０Ａ，２５０Ｂ）を背中合わせにした断面Ｈ形をなして、一方の溝形部と他方の溝形部とが、前記第１及び第２の中継部材の１対の対向壁（対向壁２７１，２７１，２８１，２８１）の間にそれぞれ配置され、
前記第１及び第２の中継部材が前記溝開口の両側に有する前記１対の対向壁には、複数の貫通孔（貫通孔２７１Ｈ，２８１Ｈ）がそれぞれ形成されて、それら貫通孔にボール（２７１Ｂ，２８１Ｂ）が受容され、
前記第１及び第３の長尺部材の内側面と両前記溝形部の外側面とに、前記ボールが転動する転動溝（第１受容部２４１Ｍ、第３受容部２６１Ｍ）が形成されている特徴Ａ１乃至特徴Ａ３の何れか１に記載の遊技機。
【０１０５】
本特徴に示す構成によれば、第１及び第３の長尺部材の内側面と第２長尺部材の外側面とにボールが転動する転動溝を形成したので、第１及び第２の中継部材をスムーズにスライドさせることが可能となる。
【０１０６】
［特徴Ａ５］
前記第１及び第２の各中継部材における溝形状の底壁（底壁２７２，２８２）は、断面クランク状をなして、幅方向の中間部に前記溝開口側に段付き状に突出する中央突部（中央突部２７３，２８３）を有し、
前記第１及び第２の各中継部材の前記１対の対向壁と前記中央突部の間に、前記第２の長尺部材の前記溝形部が有する１対の対向壁（対向壁２５１，２５１）の先端が受容されている特徴Ａ４に記載の遊技機。
【０１０７】
本特徴に示す構成によれば、第２の長尺部材の１対の対向壁を第１及び第２の中継部材で挟むように保持することが可能となる。
【０１０８】
［特徴Ａ６］
前記第１及び第２の各中継部材の前記１対の対向壁は、前記スライド可能な方向で複数の突片（突片２７１Ｗ，２８１Ｗ）に分割されて、各突片毎に前記ボールを受容する前記貫通孔が形成されている特徴Ａ４又はＡ５に記載の遊技機。
【０１０９】
本特徴に示す構成によれば、第１及び第２の中継部材の対向壁を複数の突片に分割したので、第１及び第２の中継部材を第１、第２、第３の長尺部材に係合し易くすることができる。
【０１１０】
［特徴Ａ７］
前記転動溝を有する壁部（対向壁２５１）の一部が片持ち梁状に切り離されかつ前記第１又は第２の中継部材の移動経路側に折り曲げられて、それら第１又は第２の中継部材の移動を規制する前記第２の基端側ストッパ又は前記第２の先端側ストッパが形成されている特徴Ａ４乃至Ａ６の何れか１に記載の遊技機。
【０１１１】
［特徴Ａ８］
前記転動溝を有する１対の壁部（対向壁２４１，２４１，２６１，２６１）の間を連絡する底壁（底壁２４２，２６２）の一部が片持ち梁状に切り離されかつ前記第１又は第２の中継部材の移動経路側に折り曲げられて、それら第１又は第２の中継部材の移動を規制する前記第１の基端側ストッパ又は前記第３の基端側ストッパが形成されている特徴Ａ４乃至Ａ７の何れか１に記載の遊技機。
【０１１２】
各ストッパは、壁部の一部を片持ち梁状に切り離して第１又は第２の中継部材の移動経路側に折り曲げた構成としてもよいし（特徴Ａ７の構成）、１対の壁部の間を連絡する底壁の一部が片持ち梁状に切り離して第１又は第２の中継部材の移動経路側に折り曲げた構成としてもよい（特徴Ａ８の構成）。
【０１１３】
［特徴Ａ９］
平行に延びる第１、第２の長尺部材（第１長尺部材２４０，第２長尺部材２５０）がスライド可能に係合し、それら長尺部材の基端同士が最も接近する縮小状態（図１１（Ａ）に示す状態）と、前記第１の長尺部材の先端に第２の長尺部材の基端が最も接近する延長状態（図１１（Ｂ）に示す状態）と、の間で伸縮する伸縮ユニット（スライドレール２４０Ｓ）により可動演出部材（２２０）を支持ベース（２１０）に対してスライド可能に支持している遊技機（１０）において、
前記第１及び第２の長尺部材は、それらの間に配置される第１の中継部材（第１中継部材２７０）を介してスライド可能に係合し、
前記第１の長尺部材に設けられ、前記第１の中継部材が前記第１の長尺部材の基端側へ移動することを規制する第１の基端側ストッパ（ストッパ２４６）と、
前記第２の長尺部材に設けられ、前記第１の中継部材が前記第２の長尺部材の先端側へ移動することを規制する第２の先端側ストッパ（ストッパ２５６Ａ）と、を有し、
前記第１の基端側ストッパと前記第２の先端側ストッパにより、前記第１の中継部材が、前記縮小状態で前記第１及び第２の長尺部材の基端と先端との間の中間位置に保持される遊技機。
【０１１４】
本特徴に示す構成によれば、第１の基端側ストッパと第２の先端側ストッパにより、第１の中継部材を、縮小状態で前記第１及び第２の長尺部材の基端と先端との間の中間位置に保持することができるので、第１の中継部材がスライドし難くなることを低減することができ、従来より第１の中継部材をスムーズに移動させることが可能となる。
【符号の説明】
【０１１５】
１０    遊技機
１００    可動役物装置
１１０    支持ベース
１２０    可動演出部材
１４０    第１長尺部材
１４０Ｓ    スライドレール
１４６，１５６    ストッパ
１５０    第２長尺部材
１６０    第３長尺部材
１７０    第１中継部材
１８０    第２中継部材
【図１】
2019166005.tif 000003
【図２】
2019166005.tif 000004
【図３】
2019166005.tif 000005
【図４】
2019166005.tif 000006
【図５】
2019166005.tif 000007
【図６】
2019166005.tif 000008
【図７】
2019166005.tif 000009
【図８】
2019166005.tif 000010
【図９】
2019166005.tif 000011
【図１０】
2019166005.tif 000012
【図１１】
2019166005.tif 000013
【図１２】
2019166005.tif 000014
【図１３】
2019166005.tif 000015
【図１４】
2019166005.tif 000016
【図１５】
2019166005.tif 000017
【図１６】
2019166005.tif 000018
【図１７】
2019166005.tif 000019